(57)【要約】  エレクトロポレーション装置用のハンドセットは、改良された信号発生器を有する。信号発生器は、一次巻線と、複数の二次巻線とを含み、複数の二次巻線は直列構成で共に結合される。蓄積コンデンサおよびフライバックダイオードは、複数の二次巻線の各々に結合される。信号発生器は、信号増幅器と、電源スイッチとを含む。電源スイッチは、一次巻線の両端の電源から電圧を供給するように構成されている。【選択図】図２
2019500151.tif 000002
【特許請求の範囲】
【請求項１】
エレクトロポレーション装置で使用するハンドセットであって、前記ハンドセットは、
ハウジングと、
前記ハウジング内に配置された信号増幅器と、を備え、
前記信号増幅器は、
一次巻線と、
直列構成で互いに結合された複数の二次巻線であって、蓄積コンデンサ及びフライバックダイオードが前記複数の二次巻線の各々に結合される、前記複数の二次巻線と、
前記信号増幅器と電気通信する複数の電極を有するアレイと、
を含む、前記ハンドセット。
【請求項２】
前記一次巻線と前記複数の二次巻線の各々の巻数比は１：１である、請求項１に記載のハンドセット。
【請求項３】
各フライバックダイオードおよび蓄積コンデンサが、直列構成で、前記複数の二次巻線のそれぞれ１つに結合される、請求項１に記載のハンドセット。
【請求項４】
前記フライバックダイオードおよび前記蓄積コンデンサが、並列構成で、前記複数の二次巻線の各々に結合される、請求項１に記載のハンドセット。
【請求項５】
フィルタ用コンデンサが、並列構成で、前記蓄積コンデンサと結合される、請求項４に記載のハンドセット。
【請求項６】
平衡コンデンサが、並列構成で、前記複数の二次巻線の各々に結合される、請求項５に記載のハンドセット。
【請求項７】
サーミスタが、前記複数の二次巻線と前記一次巻線との間に結合される、請求項６に記載のハンドセット。
【請求項８】
前記複数の二次巻線は、少なくとも５個の二次巻線を含む、請求項１に記載のハンドセット。
【請求項９】
前記一次巻線、前記複数の二次巻線、前記蓄積コンデンサおよび前記フライバックダイオードは、各々、信号発生器ハウジング内に配置される、請求項１に記載のハンドセット。
【請求項１０】
エレクトロポレーション装置であって、
ハウジングと、
前記ハウジング内に配置された信号発生器と、を備え、
前記信号発生器は、
一次巻線と、直列構成で互いに結合された複数の二次巻線とを有する信号増幅器であって、蓄積コンデンサ及びフライバックダイオードが前記複数の二次巻線の各々に結合される、前記信号増幅器と、
電源と、
前記一次巻線の両端の前記電源から電圧を供給するように構成された電力スイッチと、
前記信号発生器と電気通信する１つまたは複数の電極を有するアレイと、
を含む、前記エレクトロポレーション装置。
【請求項１１】
前記一次巻線と前記複数の二次巻線の各々の巻数比は１：１である、請求項１０に記載のエレクトロポレーション装置。
【請求項１２】
前記電源は、再充電可能な電池を含む、請求項１０に記載のエレクトロポレーション装置。
【請求項１３】
前記再充電可能な電池が、リチウムイオン電池を含む、請求項１２に記載のエレクトロポレーション装置。
【請求項１４】
前記フライバックダイオードおよび前記蓄積コンデンサが、直列構成で、互いに結合される、請求項１０に記載のエレクトロポレーション装置。
【請求項１５】
前記フライバックダイオードおよび前記蓄積コンデンサが、並列構成で、前記複数の二次巻線の各々に結合される、請求項１４に記載のエレクトロポレーション装置。
【請求項１６】
フィルタ用コンデンサが、並列構成で、前記蓄積コンデンサと結合される、請求項１５に記載のエレクトロポレーション装置。
【請求項１７】
平衡コンデンサが、並列構成で、前記複数の二次巻線の各々に結合される、請求項１０に記載のエレクトロポレーション装置。
【請求項１８】
サーミスタが、前記複数の二次巻線と前記一次巻線との間に接続される、請求項１０に記載のエレクトロポレーション装置。
【請求項１９】
エレクトロポレーションシステムであって、
ベースステーションと、
前記ベースステーションに取り外し可能に結合されたハンドセットと、を備え、
前記ハンドセットは、
ハウジングと、
注入アセンブリと、
電源アセンブリと、
前記ハンドセットの前記ハウジング内に配置され前記注入アセンブリと通信可能な信号発生器と、を備え、
前記信号発生器は、
一次巻線と、直列構成で互いに結合された複数の二次巻線とを有する信号増幅器であって、蓄積コンデンサ及びフライバックダイオードが前記複数の二次巻線の各々に結合される、前記信号増幅器と、
前記一次巻線の両端の前記電源から電圧を供給するように構成された電力スイッチと、
前記信号増幅器と電気通信する少なくとも１つの電極を有するアレイと、
を備える、前記エレクトロポレーション装置。
【請求項２０】
前記ベースステーションは、前記ベースステーションが前記ハンドセットに結合されている場合、前記電源と電気的に通信する、請求項１９に記載のエレクトロポレーションシステム。
【発明の詳細な説明】
【技術分野】
【０００１】
関連出願との相互参照
本特許出願は、２０１５年１２月２８日に出願された米国仮特許出願第６２／２７１，９５５号に基づく優先権を主張する。上記参照出願は、参照により本明細書に組み込まれる。
【背景技術】
【０００２】
本開示の実施形態は、高電圧エレクトロポレーション信号を発生する改良された信号発生器を有するエレクトロポレーション装置に関する。
【発明の概要】
【０００３】
エレクトロポレーション装置などの医療装置は、必要なエネルギー供給を発生するために高電圧発生器を必要とする。エレクトロポレーションプロセス中、標的組織と接触する電極は、所望のエレクトロポレーション効果（例えば、０．５Ａで２００Ｖ）を発生するために、特定の電圧及びアンペア数で電力が送達されることを必要とする。一般に、エレクトロポレーションプロセス中に必要とされる高電圧レベルには、多数の大容量コンデンサを含む電圧発生器が必要である。次に、これらのコンデンサは、物理的サイズが非常に大きく、エレクトロポレーションプロセスが始まる前に充電するのに比較的長い時間を要する。これらの特性は、サイズと重量を最小限に抑える必要がある手持ち型装置では厄介である。さらに、長い充電時間は、適時かつ正確な方法でエレクトロポレーション治療を施すユーザの能力を妨げる可能性がある。さらに、コンデンサベースのシステムは、時間の経過とともに信号劣化にわずらわされる。
【０００４】
本開示は、複数の低電圧を発生し、それらを直列に組み合わせて高電圧を発生する信号発生器を提供する。
【０００５】
一態様では、エレクトロポレーション装置で使用するハンドセットであって、ハンドセットは、ハウジングと、ハウジング内に配置された信号増幅器とを含む。信号増幅器は、一次巻線と、直列構成で互いに結合された複数の二次巻線であって、蓄積コンデンサ及びフライバックダイオードが複数の二次巻線の各々に結合される、複数の二次巻線と、信号増幅器と電気通信する複数の電極を有するアレイとを含む。
【０００６】
別の態様では、エレクトロポレーション装置は、ハウジングと、ハウジング内に配置された信号発生器とを含む。信号発生器は、一次巻線と、直列構成で互いに結合された複数の二次巻線とを有する信号増幅器であって、蓄積コンデンサ及びフライバックダイオードが複数の二次巻線の各々に結合される、信号増幅器と、電源と、一次巻線の両端の電源から電圧を供給するように構成された電力スイッチと、信号発生器と電気通信する１つまたは複数の電極を有するアレイとを含む。
【０００７】
さらに別の態様では、エレクトロポレーションシステムは、ベースステーションと、ベースステーションに取り外し可能に結合されたハンドセットとを含む。ハンドセットは、ハウジングと、注入アセンブリと、電源と、ハンドセットのハウジング内に設置され注入アセンブリと通信可能な信号発生器とを含む。信号発生器は、一次巻線と、直列構成で互いに結合された複数の二次巻線とを有する信号増幅器であって、蓄積コンデンサ及びフライバックダイオードが複数の二次巻線の各々に結合される、信号増幅器と、一次巻線の両端の電源から電圧を供給するように構成された電力スイッチと、アレイから延び、かつ信号発生器と電気通信する少なくとも１つの電極を有するアレイとを含む。
【図面の簡単な説明】
【０００８】
【図１】ドッキングされた形態のハンドセット及びベースユニットを示すエレクトロポレーション装置の概略図である。
【図２】いくつかの実施形態による図１の電圧増幅器の図である。
【図３】いくつかの実施形態による図１の信号発生器及び電源のブロック図である。
【発明を実施するための形態】
【０００９】
本開示のすべての実施形態を詳細に説明する前に、本開示は、その適用において、以下の説明に記載され、または以下の図面に示される構成の詳細及び部品の配置に限定されるものではないことを理解されたい。本開示は、他の実施形態が可能であり、様々な方法で実施するか、または実行することが可能である。
【００１０】
開示を実施するために、複数の他の構成部品が利用されてもよいことを注意すべきである。さらに、以降の段落で説明するように、図面に示される特定の構成は本開示の実施形態を例示することを意図する。代替の構成が可能である。
【００１１】
「薬剤」は、ポリペプチド、ポリヌクレオチド、小分子、またはそれらの任意の組み合わせを意味してもよい。本明細書に参照により組み込まれるＰＣＴ／ＵＳ２０１４／０７０１８８に詳細が記述されるように、薬剤は、抗体をコード化する組み換え核酸配列、またはその断片、その変異体、またはそれらの組み合わせであってもよい。「薬剤」は、ポリペプチド、ポリヌクレオチド、小分子、またはそれらの任意の組み合わせを含む組成物を意味してもよい。本明細書に参照により組み込まれるＰＣＴ／ＵＳ２０１４／０７０１８８に詳細が記述されるように、組成物は、抗体をコード化する組み換え核酸配列、またはその断片、その変異体、またはそれらの組み合わせを含んでもよい。薬剤は、例えば、水または緩衝液中に配合することができる。緩衝液は、例えば、生理食塩水−クエン酸ナトリウム（ＳＳＣ）またはリン酸緩衝生理食塩水（ＰＢＳ）であり得る。緩衝液のイオン含有量は、導電性を増加させ、標的組織における電流の流れを増加させる可能性がある。処方されたポリヌクレオチドの濃度は、１μｇと２０ｍｇ／ｍｌの間であり得る。処方されたポリヌクレオチドの濃度は、例えば、１μｇ／ｍｌ、１０μｇ／ｍｌ、２５μｇ／ｍｌ、５０μｇ／ｍｌ、１００μｇ／ｍｌ、２５０μｇ／ｍｌ、５００μｇ／ｍｌ、７５０μｇ／ｍｌ、１ｍｇ／ｍｌ、１０ｍｇ／ｍｌ、１５ｍｇ／ｍｌ、または２０ｍｇ／ｍｌであってもよい。
【００１２】
本明細書で使用される「ペプチド」、「タンパク質」または「ポリペプチド」は、アミノ酸の連結された配列を意味することができ、天然、合成、または天然および合成の変更もしくは組み合わせであり得る。
【００１３】
本明細書中で使用される場合、「ポリヌクレオチド」または「オリゴヌクレオチド」または「核酸」は、共に共有結合された少なくとも２つのヌクレオチドを意味する。ポリヌクレオチドは、一本鎖または二本鎖であり得るか、または二本鎖および一本鎖配列の両方の部分を含み得る。ポリヌクレオチドは、ＤＮＡ、ゲノムおよびｃＤＮＡの両方、ＲＮＡ、またはハイブリッドであり得る。ポリヌクレオチドは、デオキシリボヌクレオチドおよびリボヌクレオチドの組み合わせ、ならびにウラシル、アデニン、チミン、シトシン、グアニン、イノシン、キサンチンヒポキサンチン、イソシトシン、イソグアニンおよび合成または非天然型のヌクレオチドおよびヌクレオシドを含む塩基の組み合わせを含み得る。ポリヌクレオチドはベクターであってもよい。ポリヌクレオチドは、化学合成法または組換え法によって得ることができる。
【００１４】
本明細書で使用される「ベクター」は、複製起源を含む核酸配列を意味する。ベクターは、ウイルスベクター、バクテリオファージ、細菌人工染色体、または酵母人工染色体であり得る。ベクターは、ＤＮＡまたはＲＮＡベクターであり得る。ベクターは自己複製染色体外ベクターであってもよく、好ましくはＤＮＡプラスミドである。
【００１５】
本明細書で使用される「エレクトロポレーション」（「ＥＰ」）という用語は、細胞膜における可逆的な微小経路（細孔）を誘導するための電場パルスの使用を指し、それらの存在により、薬剤は、細胞膜の一方の側から他方の側へと通過することが可能になる。
【００１６】
本開示は、所定のエレクトロポレーション信号を発生する改良された信号発生器３２を含むエレクトロポレーション装置１０４用のハンドセット１００に関する。図１に示すように、エレクトロポレーション装置１０４は、ベースユニット１０９と、ベースユニット１０８に取り外し可能にドッキングされ得るハンドセット１００とを含む。ベースユニット１０９は、一般に、テーブルまたは他の平坦な表面上に配置され、ハンドセット１００およびベースユニット１０９がドッキングまたは結合構成にある場合、電源３４と電気的に通信し、電源３４を充電することができる。
【００１７】
図１に示すように、エレクトロポレーション装置１０４のハンドセット１００は、ハウジング１０８と、ハウジング１０８に結合された電極アレイ１１２と、ハウジング１０８内に配置された電源３４と、電源３４および電極アレイ１１２の両方と電気的に通信する信号発生器３２とを含む。ハンドセット１００はまた、皮下注射針１１１を介して標的組織に薬剤を投与するための注入アセンブリ１１０を含む。使用中、エレクトロポレーション装置１００は、信号発生器３２によって生成されたエレクトロポレーションパルスを用いて、哺乳類の標的組織（例えば、皮膚または筋肉）の細胞への薬剤の導入を容易にする。ハンドセット１００は、エレクトロポレーションパルスを発生させるために非常に高い電圧値（例えば、２００Ｖ）の生成を必要とする。ハンドセット１００は、信号発生器３２を使用して、より低い電圧値を供給する電源（例えば、リチウムイオン電池）から非常に高い電圧値を生成する。
【００１８】
図１に示されるように、ハンドセット１００のハウジング１０８は、それらの間に容積１２０を形成するように共に結合された２つの半体または部材１１６から形成される。具体的には、部材１１６は、前端１２８および後端１３２を有する上部１２４と、上部１２４から延びて遠位端を形成するハンドル部分１３６とを有するピストル形状を形成する。いくつかの実施形態では、ハンドル部分１３６は、トリガ１４０または他のユーザ入力を含み、ユーザが標的組織へのエレクトロポレーション信号の投与を指示することを可能にしてもよい。ハンドセット１００のハウジング１０８はピストル形状で示されているが、ハウジング１０８は追加の形状を含むことができ、または異なるグリップスタイルを収容することができることを理解されたい。
【００１９】
電極アレイ１１２は、ハウジング１０８の上部１２４の前端部１２８からそれぞれ外向きに延在する複数の電極１４２を含む。各電極１４２は、信号発生器３２と電気的に通信しており、装置１０４の動作中に標的組織にエレクトロポレーション信号を中継するように構成される。
【００２０】
図１及び図３は、信号発生器３２を示す。信号発生器３２は、他の部品の中でも特に電源スイッチ３６及び電圧増幅器５を含む。図示する実施形態では、信号生成装置３２は、ハンドセット１００の全体の重心（ＣＧ）がハンドル部分１３６と上部１２４との交差点に近接して位置するようにハウジング１０８内に配置される。いくつかの実施形態では、軸Ａに垂直に配置され、重心（ＣＧ）を通る軸Ｂもまた、ハウジング１０８のハンドル部分１３６を通過するように、ハウジング１０８の上部１２４は、それを通って長さ方向に延びる軸Ａを画定してもよい（図１参照）。
【００２１】
図２は、他の部品の中でも特に増幅器ハウジング１０と、一次巻線１２と、複数の二次巻線１４Ａ〜１４Ｅとを含む電圧増幅器５を示す。一次巻線１２及び複数の二次巻線１４Ａ〜１４Ｅは、増幅器ハウジング１０内に配置されている。図１に示す実施形態では、複数の二次巻線１４Ａ〜１４Ｅは、５個の二次巻線を含む。他の実施形態では、複数の二次巻線１４Ａ〜１４Ｅは、より多くのまたはより少ない二次巻線を含むことができる。また、他の実施形態では、電圧増幅器５は、２個以上の一次巻線を含むことができる。第１入力１６Ａ及び第２入力１６Ｂは、一次巻線１２と増幅器ハウジング１０の外部にある１つまたは複数の部品との間の接続を提供する。一次巻線１２の両端の電圧は、第１入力１６Ａと第２入力１６Ｂとの間の電圧差に等しい。各二次巻線の両端の電圧は、一次巻線１２の電圧に巻数比を乗じたものに等しい。巻数比は、一次巻線の巻数と二次巻線の巻数との比である。例えば、一次巻線１２の巻数が５であり、二次巻線１４Ａの巻数が５である場合、二次巻線１４Ａの両端の電圧は、一次巻線１２の両端の電圧に等しい（すなわち、巻数比１：１である）。
【００２２】
図２に示す実施形態では、一次巻線１２と複数の二次巻線１４Ａ〜１４Ｅの各々の巻数比は１：１である。例えば、一次巻線１２の両端の電圧が２０Ｖである場合、複数の二次巻線１４Ａ〜１４Ｅの各々の両端の電圧もまた２０Ｖである。図２に示すように、複数の二次巻線１４Ａ〜１４Ｅが直列に接続される場合、複数の二次巻線１４Ａ〜１４Ｅの両端の電圧は、二次巻線の各々の両端の電圧の和に等しい。例えば、一次巻線１２の両端の電圧が２０Ｖである場合、複数の二次巻線１４Ａ〜１４Ｅの両端の電圧は（５個の二次巻線の結果として）１００Ｖである。
【００２３】
第１出力１８Ａ及び第２出力１８Ｂは、複数の２次巻線１４Ａ〜１４Ｅ及びハウジング１０の外部にある１つまたは複数の部品との間の接続を提供する。複数の２次巻線１４Ａ〜１４Ｅの両端の電圧は、第１出力１８Ａと第２出力１８Ｂとの電圧差に等しい。例えば、複数の二次巻線１４Ａ〜１４Ｅの両端の電圧が１００Ｖである場合、第１出力１８Ａと第２出力１８Ｂとの電圧差は１００Ｖである。
【００２４】
複数の電気部品２０は、複数の二次巻線１４Ａ〜１４Ｅの各々に結合することができる。複数の電気部品２０は、他の部品の中でもとりわけ、蓄積コンデンサ２２、フライバックダイオード２４、フィルタリングコンデンサ２６及び平衡コンデンサ２８を含む。いくつかの実施形態では、複数の電気部品２０は、図２に示し、以下に説明するように構成される。いくつかの実施形態では、蓄積コンデンサ２２とフィルタ用コンデンサ２６は、並列構成で互いに結合される。また、いくつかの実施形態では、フライバックダイオード２４は、蓄積コンデンサ２２及びフィルタ用コンデンサ２６と直列構成で結合される。さらに、いくつかの実施形態では、フライバックダイオード２４と蓄積コンデンサ２２の直列構成は、平衡コンデンサ２８および複数の二次巻線１４Ａ〜１４Ｅの１つと並列構成で結合される。
【００２５】
複数の電気部品２０は、一次巻線１２及び複数の二次巻線１４Ａ〜１４Ｅと共に増幅器ハウジング１０内に配置される。この構成により、増幅器ハウジング１０の外側に配置された部品と比較した場合より、複数の電気部品２０と複数の二次巻線１４Ａ〜１４Ｅの各々との間のワイヤトレース長を短くすることができる。信号増幅器５の全体的な占有面積を小さくすることに加えて、ワイヤトレース長が短くなることにより、信号増幅器５の動作及び効率に与えるノイズ（例えば、スイッチングノイズ）の影響を低減することができる。このように、より正確で安定したエレクトロポレーション信号が、さらに小型のハンドセット１００においてハンドセット１００によって生成されてもよい。
【００２６】
上述の構成により、信号増幅器５において出力の使用もより少なくできる。複数の電気部品２０が増幅器ハウジング１０の外側にある場合、各二次巻線は２個の出力を必要とする。例えば、５個の二次巻線を有する信号増幅器は、１０個の出力を必要とする。図２に示すように、複数の電気部品２０を増幅器ハウジング１０内に配置すると、２個の出力のみ（例えば、第１出力１８Ａ及び第２出力１８Ｂ）の使用が可能になる。各追加の出力はスペースを必要とし、信号増幅器の占有面積に追加される。このように、出力の数を減らすことによって、この構成により、信号増幅器５の占有面積をより小さくすることができ、対応する回路基板上及びハウジング１０８の容積１２０内のスペースをより効率的に利用することができる。
【００２７】
フライバックダイオード２４は、一次巻線１２の両端の電圧入力よりも高い二次巻線１４Ａの両端の電圧出力を達成するために必要である。第１入力１６Ａと第２入力１６Ｂとの間の電圧差は、一次巻線１２において、磁界を発生させる電流を誘導する。二次巻線１４Ａは、磁界を捉え、電圧／電流スパイクを発生させる。この電圧／電流スパイクからのエネルギーは、二次巻線１４Ａにリークバックするのをフライバックダイオード２４が防止するため、蓄積コンデンサ２２に蓄積される。蓄積コンデンサ２２に蓄積されたエネルギーは、二次巻線１４Ａの両端の直流電圧出力としてのみ放電することができる。フィルタ用コンデンサ２６は、二次巻線１４Ａの両端の電圧が突然変化するときに発生し得る二次巻線１４Ａの両端の電圧スパイクを抑制する。平衡コンデンサ２８は、複数の二次巻線１４Ａ〜１４Ｅの各々の両端の電圧が同じ値であることを保証する。平衡コンデンサ２８の使用により、信号増幅器５内のスナバ回路の必要性がなくなる。
【００２８】
コンデンサの物理的サイズは、動作電圧及び静電容量という２つの要因によって決まる。動作電圧は、コンデンサが動作できる最大電圧である。コンデンサの動作電圧を上げる唯一の方法は、コンデンサのサイズを大きくすることである。高い動作電圧のコンデンサは、物理的サイズがかなり大きい。低い動作電圧のコンデンサは、物理的なサイズがより小さくなる。従来の高電圧発生器は、高い動作電圧のコンデンサを必要とする。したがって、従来の高電圧発生器は、物理的サイズがより大きくなる傾向がある。複数の低電圧を発生して直列に組み合わせて高電圧を生成することにより、信号増幅器５は、動作電圧の高いコンデンサを必要としないので、従来の高電圧発生器よりも物理的サイズが小さい。このような特性は、使用中にユーザによって保持され、操作されなければならないハンドセット１００において望まれる。
【００２９】
高い動作電圧のコンデンサはまた、完全に充放電するのにより多くの時間を必要とする。複数のより低い電圧を発生し、これらを直列に組み合わせて高電圧を発生することにより、信号増幅器５は、従来の高電圧発生器よりも著しく速く高電圧を提供する。
【００３０】
さらに、動作電圧が高いコンデンサを含む医療装置（例えば、エレクトロポレーションパルスジェネレータ）に使用される従来の高電圧発生器は、医療装置のユーザに対して感電死の安全性問題を提示する。従来の高電圧発生器のコンデンサは、処置が始まる前に高電圧に充電され、高出力電圧を発生することができなければならない。コンデンサが高電圧で充電されているがエレクトロポレーションパルスがまだ投与されていない間、コンデンサは大量の電気エネルギーを保持している。この大量の電気エネルギーは、医療装置のユーザが医療装置で感電した場合、彼らに重大な被害を与える能力がある。さらに、大量の電気エネルギーは、従来の高電圧発生器を破裂させる可能性がある。複数のより低い電圧を発生し、これらを直列に組み合わせて高電圧を発生することにより、信号増幅器５は、大量の電気エネルギーを蓄える必要がない。したがって、従来の高電圧発生器に存在する感電死の安全性問題は、信号増幅器５には存在しない。
【００３１】
いくつかの実施形態では、図１に示すように、信号増幅器５は、サーミスタ３０を含む。サーミスタは、抵抗が温度に依存するタイプの抵抗器である。いくつかの実施形態では、非常に小さなデューティサイクルが、信号増幅器５で使用される。この小さなデューティサイクルは、信号増幅器５の直流電流定格より大きくてもよい。制御回路（図示せず）の使用によりサーミスタ３０を監視することによって、信号増幅器５がいずれの部品定格も超えないことを保証することができる。いくつかの実施形態では、図１に示すように、サーミスタ３０は、複数の二次巻線１４Ａ〜１４Ｅに接続された共通ノードと一次巻線１２との間に結合されている。
【００３２】
電源３４は、電圧増幅器５に公称またはパルス状のＤＣ電圧を供給する。図示される実施形態では、電源３４は、１つまたは複数のバッテリまたはバッテリパックによって電力供給される。他の実施形態では、電源３４は、例えば１００Ｖ〜２４０Ｖ  ＡＣの公称線間電圧および約５０〜６０Ｈｚの周波数を有する主電源によって電力が供給される。他の実施形態では、電源３４は、バッテリ電力と主電源との組み合わせによって電力供給される。いくつかの実施形態では、電源３４は、５Ｖの公称線間電圧を有するＵＳＢ（すなわち、ユニバーサルシリアルバス）電力によって電力が供給される。いくつかの実施形態では、電池は一種の充電式電池である。充電式電池には、例えば、リチウムイオン、鉛酸、ニッケルカドミウム、ニッケル金属水素化物などが含まれる。リチウムイオン電池は、従来の鉛蓄電池よりも小型で軽量である。
【００３３】
電源スイッチ３６は、電源３４から信号増幅器５へのエネルギーの流れを調整する。電源スイッチは、第１入力１６Ａおよび第２入力１６Ｂを介して信号増幅器５に電気的に結合される。第１入力１６Ａと第２入力１６Ｂとの間の電圧差は、電力スイッチ３６のオン時間とオフ時間（すなわち、デューティサイクル）とに基づいている。いくつかの実施形態では、電力スイッチ３６は、スイッチング電界効果トランジスタ（ＦＥＴ）を含む。
【００３４】
このように、本開示は、とりわけ、信号増幅器および信号発生器を提供する。本開示の様々な特徴および利点は、以下の特許請求の範囲に記載される。
【００３５】
完全性の理由から、本発明の様々な態様は、以下の番号付けられた条項に記載されている。
【００３６】
１．エレクトロポレーション装置で使用するハンドセットであって、前記ハンドセットは、
ハウジングと、
前記ハウジング内に配置された信号増幅器と、を備え、
前記信号増幅器は、
一次巻線と、
直列構成で互いに結合された複数の二次巻線であって、蓄積コンデンサ及びフライバックダイオードが前記複数の二次巻線の各々に結合される、前記複数の二次巻線と、
前記信号増幅器と電気通信する複数の電極を有するアレイと、
を含む、前記ハンドセット。
【００３７】
２．前記一次巻線と前記複数の二次巻線の各々の巻数比は１：１である、条項１に記載のハンドセット。
【００３８】
３．各フライバックダイオードおよび蓄積コンデンサが、直列構成で、前記複数の二次巻線のそれぞれ１つに結合される、条項１に記載のハンドセット。
【００３９】
４．前記フライバックダイオードおよび前記蓄積コンデンサが、並列構成で、前記複数の二次巻線の各々に結合される、条項１に記載のハンドセット。
【００４０】
５．フィルタ用コンデンサが、並列構成で、前記蓄積コンデンサと結合される、条項４に記載のハンドセット。
【００４１】
６．平衡コンデンサが、並列構成で、前記複数の二次巻線の各々に結合される、条項５に記載のハンドセット。
【００４２】
７．サーミスタが、前記複数の二次巻線と前記一次巻線との間に結合される、条項６に記載のハンドセット。
【００４３】
８．前記複数の二次巻線は、少なくとも５個の二次巻線を含む、条項１に記載のハンドセット。
【００４４】
９．前記一次巻線、前記複数の二次巻線、前記蓄積コンデンサおよび前記フライバックダイオードは、各々、信号発生器ハウジング内に配置される、条項１に記載のハンドセット。
【００４５】
１０.エレクトロポレーション装置であって、
ハウジングと、
前記ハウジング内に配置された信号発生器と、を備え、
前記信号発生器は、
一次巻線と、直列構成で互いに結合された複数の二次巻線とを有する信号増幅器であって、蓄積コンデンサ及びフライバックダイオードが前記複数の二次巻線の各々に結合される、前記信号増幅器と、
電源と、
前記一次巻線の両端の前記電源から電圧を供給するように構成された電力スイッチと、
前記信号発生器と電気通信する１つまたは複数の電極を有するアレイと、
を含む、前記エレクトロポレーション装置。
【００４６】
１１．前記一次巻線と前記複数の二次巻線の各々の巻数比は１：１である、条項１０に記載のエレクトロポレーション装置。
【００４７】
１２．前記電源は、再充電可能な電池を含む、条項１０に記載のエレクトロポレーション装置。
【００４８】
１３．前記再充電可能な電池が、リチウムイオン電池を含む、条項１２に記載のエレクトロポレーション装置。
【００４９】
１４．前記フライバックダイオードおよび前記蓄積コンデンサが、直列構成で、互いに結合される、条項１０に記載のエレクトロポレーション装置。
【００５０】
１５．前記フライバックダイオードおよび前記蓄積コンデンサが、並列構成で、前記複数の二次巻線の各々に結合される、条項１４に記載のエレクトロポレーション装置。
【００５１】
１６．フィルタ用コンデンサが、並列構成で、前記蓄積コンデンサと結合される、条項１５に記載のエレクトロポレーション装置。
【００５２】
１７．平衡コンデンサが、並列構成で、前記複数の二次巻線の各々に結合される、条項１０に記載のエレクトロポレーション装置。
【００５３】
１８．サーミスタが、前記複数の二次巻線と前記一次巻線との間に接続される、条項１０に記載のエレクトロポレーション装置。
【００５４】
１９．エレクトロポレーションシステムであって、
ベースステーションと、
前記ベースステーションに取り外し可能に結合されたハンドセットと、を備え、
前記ハンドセットは、
ハウジングと、
注入アセンブリと、
電源アセンブリと、
前記ハンドセットの前記ハウジング内に配置され前記注入アセンブリと通信可能な信号発生器と、を備え、
前記信号発生器は、
一次巻線と、直列構成で互いに結合された複数の二次巻線とを有する信号増幅器であって、蓄積コンデンサ及びフライバックダイオードが前記複数の二次巻線の各々に結合される、前記信号増幅器と、
前記一次巻線の両端の前記電源から電圧を供給するように構成された電力スイッチと、
前記信号増幅器と電気通信する少なくとも１つの電極を有するアレイと、
を備える、前記エレクトロポレーション装置。
【００５５】
２０．前記ベースステーションは、前記ベースステーションが前記ハンドセットに結合されている場合、前記電源と電気的に通信する、条項１９に記載のエレクトロポレーションシステム。
【図１】
2019500151.tif 000003
【図２】
2019500151.tif 000004
【図３】
2019500151.tif 000005
【国際調査報告】
2019500151.tif 000006